(57)【要約】【課題】不在時に来訪した者を確認することが可能なナースコールシステムを提供する。【解決手段】ナースコール子機２と、ナースコール親機６と、ベッド上の患者を撮像するためのカメラ４と、ナースコール子機２、ナースコール親機６、およびカメラ４の間の通信を制御するナースコール制御機９とを備えるナースコールシステムであって、カメラ４は、ベッド上の患者を撮像するための見守り範囲と、当該患者のベッド周辺を含む範囲であって当該患者病室内で私的に利用することが可能な利用範囲を撮像することが可能であり、さらに、利用範囲内において患者が存在するか否かを判別可能な判別部を有し、利用範囲内において患者が不在であり、かつ、利用範囲内に患者とは異なる者が存在していると判別部により判別された場合に、利用範囲の撮像データの記録が開始される。【選択図】図１
2018139634.tif 000002
【特許請求の範囲】
【請求項１】
ナースコール子機と、
ナースコール親機と、
ベッド上の患者を撮像するためのカメラと、
前記ナースコール子機、前記ナースコール親機、および前記カメラの間の通信を制御するナースコール制御機と、
を備えるナースコールシステムであって、
前記カメラは、ベッド上の患者を撮像するための見守り範囲と、当該患者のベッド周辺を含む範囲であって当該患者が病室内で私的に利用することが可能な利用範囲とを撮像することが可能であり、
さらに、
前記利用範囲内において前記患者が存在するか否か、及び、前記利用範囲内において前記患者と異なる者が存在するか否かを判別可能な判別部を有し、
前記利用範囲内において前記患者が不在であり、かつ、前記利用範囲内に前記患者とは異なる者が存在していると前記判別部により判別された場合に、前記利用範囲の前記撮像データの記録が開始される、
ナースコールシステム。
【請求項２】
前記判別部は、前記ベッド上における前記患者の起き上がる動作又は離床する動作を検出したときに、前記利用範囲から前記患者が不在になると判別し、
前記利用範囲の前記撮像データは、前記起き上がる動作又は前記離床する動作を解析するための撮像データとは、別の保存データとして記録される、
請求項１に記載のナースコールシステム。
【請求項３】
前記利用範囲内に前記患者が不在であることを前記判別部の判別に対応するように設定可能な操作部を備え、
前記操作部により前記利用範囲内に前記患者が不在であると設定された状態において、前記利用範囲内に前記患者とは異なる者が進入してきたと前記判別部により判別された場合に、前記利用範囲の前記撮像データの記録が開始される、
請求項１または請求項２に記載のナースコールシステム。
【請求項４】
更に、患者の入退院情報又は外出情報が記録された記録部を備え、
前記判別部が前記利用範囲から前記患者が不在になると判別した場合、前記入退院情報又は外出情報が参照されて、前記患者が退院又は外出の予定がある場合には、前記撮像データの記録が開始されないように構成されている、
請求項１から請求項３のいずれか一項に記載のナースコールシステム。
【請求項５】
更に、前記ベッドの近傍に配置される表示装置を備え、
前記表示装置は、記録された前記撮像データを表示することが可能である、
請求項１から請求項４のいずれか一項に記載のナースコールシステム。
【請求項６】
前記利用範囲内に前記患者とは異なる者が進入してきた旨が通知される携帯端末を備える、
請求項１から請求項５のいずれか一項に記載のナースコールシステム。
【請求項７】
前記利用範囲内に前記患者とは異なる者が進入してきたと判別された場合、前記利用範囲の前記撮像データが前記携帯端末に送信される、
請求項６に記載のナースコールシステム。
【発明の詳細な説明】
【技術分野】
【０００１】
本発明は、病院等に設置されるナースコールシステムに関するものである。
【背景技術】
【０００２】
病院は、医療従事者だけでなく、見舞い目的の来訪者や外来患者などが不定期に出入りする環境である。一方、患者は常に病室に居るとは限らず、見舞客等とすれ違いになってしまうこともある。
例えば、特許文献１では、ベッド上の患者を撮像するカメラを備えたナースコールシステムが提案されている。
【先行技術文献】
【特許文献】
【０００３】
【特許文献１】特開２０１６−５９７０４号公報
【発明の概要】
【発明が解決しようとする課題】
【０００４】
しかしながら、特許文献１の技術では、患者が病室を外出している間に来訪者（見舞客など）が来た場合、見舞客が帰ってしまうと、誰が見舞いに来てくれたのかを患者が把握することができない場合があった。
【０００５】
そこで、本発明は、不在時に来訪した者を確認することが可能なナースコールシステムを提供することを目的とする。
【課題を解決するための手段】
【０００６】
上記目的を達成するために、本発明のナースコールシステムは、
ナースコール子機と、
ナースコール親機と、
ベッド上の患者を撮像するためのカメラと、
前記ナースコール子機、前記ナースコール親機、および前記カメラの間の通信を制御するナースコール制御機と、
を備えるナースコールシステムであって、
前記カメラは、ベッド上の患者を撮像するための見守り範囲と、当該患者のベッド周辺を含む範囲であって当該患者が病室内で私的に利用することが可能な利用範囲とを撮像することが可能であり、
さらに、
前記利用範囲内において前記患者が存在するか否か、及び、前記利用範囲内において前記患者と異なる者が存在するか否かを判別可能な判別部を有し、
前記利用範囲内において前記患者が不在であり、かつ、前記利用範囲内に前記患者とは異なる者が存在していると前記判別部により判別された場合に、前記利用範囲の前記撮像データの記録が開始される。
【０００７】
上記構成によれば、患者の不在時に例えば見舞客が来た場合、患者は撮像データの内容を確認することで、誰が来訪していたかを映像により確認することができる。
【０００８】
また、本発明のナースコールシステムにおいて、
前記判別部は、前記ベッド上における前記患者の起き上がる動作又は離床する動作を検出したときに、前記利用範囲から前記患者が不在になると判別し、
前記利用範囲の前記撮像データは、前記起き上がる動作又は前記離床する動作を解析するための撮像データとは、別の保存データとして記録されてもよい。
【０００９】
上記構成によれば、利用範囲の撮像データは、ベッド上の患者の動作（起き上がる動作又は離床する動作）を解析するための撮像データとは別の保存データとして記録される。このため、利用範囲の撮像データが不意に医療従事者等に見られてしまうことを抑制することができる。
【００１０】
また、本発明のナースコールシステムは、
前記利用範囲内に前記患者が不在であることを前記判別部の判別に対応するように設定可能な操作部を備え、
前記操作部により前記利用範囲内に前記患者が不在であると設定された状態において、前記利用範囲内に前記患者とは異なる者が進入してきたと前記判別部により判別された場合に、前記利用範囲の前記撮像データの記録が開始されてもよい。
【００１１】
上記構成によれば、例えば患者がベッドを離れる際に、自分自身で不在設定をすることができる。
【００１２】
また、本発明のナースコールシステムは、
更に、患者の入退院情報又は外出情報が記録された記録部を備え、
前記判別部が前記利用範囲から前記患者が不在になると判別した場合、前記入退院情報又は外出情報が参照されて、前記患者が退院又は外出している場合には、前記撮像データの記録が開始されないように構成されていてもよい。
【００１３】
上記構成によれば、不要な撮像データが記録されることを抑制することができる。
【００１４】
また、本発明のナースコールシステムは、
更に、前記ベッドの近傍に配置される表示装置を備え、
前記表示装置は、記録された前記撮像データを表示することが可能であってもよい。
【００１５】
上記構成によれば、患者はベッドの近傍に配置された表示装置を用いて、不在中にカメラで撮像された映像を確認することができる。
【００１６】
また、本発明のナースコールシステムは、
前記利用範囲内に前記患者とは異なる者が進入してきた旨が通知される携帯端末を備えてもよい。
【００１７】
上記構成によれば、患者は、患者の不在時に例えば見舞客が来たことを携帯端末により知ることができる。
【００１８】
また、本発明のナースコールシステムにおいて、
記利用範囲内に前記患者とは異なる者が進入してきたと判別された場合、前記利用範囲の前記撮像データが前記携帯端末に送信されてもよい。
【００１９】
上記構成によれば、患者は、患者の不在時に例えば見舞客が来た場合、患者は携帯端末に表示される撮像データの内容を確認することで、誰が来訪していたかを確認することができる。
【発明の効果】
【００２０】
本発明のナースコールシステムによれば、不在時に来訪した者を確認することができる。
【図面の簡単な説明】
【００２１】
【図１】本発明の実施形態に係るナースコールシステムの構成図である。
【図２】解除装置の機能ブロック図である。
【図３】ナースコール制御機の機能ブロック図である。
【図４】ナースコールシステムの動作を説明するための図である。
【発明を実施するための形態】
【００２２】
以下、本実施形態の一例について、図面を参照して説明する。
図１に示すように、ナースコールシステム１は、ナースコール子機２と、カメラ３と、表示装置４と、廊下灯５と、ナースコール親機６と、解析装置７と、携帯端末８と、ナースコール制御機９と、構内交換機１０と、ローカル用基地局１１と、管理サーバ１２とを備えている。
【００２３】
ナースコール子機２は伝送線Ｌ１を介して廊下灯５に接続されており、カメラ３は伝送線Ｌ２を介して廊下灯５に接続されており、表示装置４は伝送線Ｌ３を介して廊下灯５に接続されている。ローカル用基地局１１は、伝送線Ｌ４を介して構内交換機９に接続されている。また、各部は、ネットワークＮ（本例では、ＬＡＮ：Local Area Network）を介して通信可能に接続されるとともに、必要に応じてハブ（ＨＵＢ）１５により分配されて接続されている。
【００２４】
ナースコール子機２は、病室内のベッド毎に設置されており、プレート子機２１と、プレート子機２１に着脱可能な握り子機２２とを備えている。プレート子機２１には、患者が不在であることを設定するための不在ボタン２１ａ（操作部の一例）が設けられている。また、プレート子機２１および握り子機２２には、医療従事者を呼び出すための呼出ボタンが設けられている。ナースコール子機２は、ネットワークＮ上で用いられる子機番号（子機ＩＤ）を有する。なお、不在ボタン２１ａは、例えばカメラ３が設けられている場所の近くに設けられていてもよいし、廊下灯５あるいは表示装置４に設けられていてもよい。
【００２５】
カメラ３は、ベッド上にいる患者の様子またはベッド周辺にいる患者の様子、あるいは患者が不在なベッド周辺の様子を撮像するためのものであり、病室内の例えばベッド毎に設置されている。カメラ３は、例えばプレート子機２１に埋め込んで設けられていてもよいし、独立して例えば壁などに取り付けられていてもよい。各カメラ３は、それぞれのカメラを特定することが可能なＩＰアドレス（Internet Protocolアドレス）を有する。
【００２６】
表示装置４は、カメラ３で撮像された映像を再生することが可能な装置であり、病室内の例えばベッド毎に設置されている。表示装置４として、例えば患者のバイタルサインをモニタリングするためのベッドサイドモニタが用いられる。表示装置４は、ネットワークＮ上で用いられる表示装置番号（表示装置ＩＤ）を有する。
【００２７】
廊下灯５は、例えば各病室の出入口付近に設置されており、ナースコール子機２を操作した患者の情報を表示する液晶表示部５１と、ナースコール子機２から呼び出しが発せられたことを報知する表示ランプ５２とを備えている。患者の氏名、患者番号（患者ＩＤ）、病室番号、ベッド番号等の患者情報は、カメラのＩＰアドレス、表示装置ＩＤ、ナースコール子機２の子機ＩＤ等と互いに対応付けて廊下灯５の記憶部（図示省略）に記憶されている。
【００２８】
ナースコール親機６は、ナースステーション等に設置されており、呼び出しに応答するためのハンドセット６１と、患者情報が表示される小型モニタ６２と、各患者の詳細情報が一覧表示される大型モニタ６３とを備えている。
【００２９】
解析装置７は、カメラ３で撮像された映像を解析する装置であり、例えばナースステーション等に設置されている。なお、本例では、解析装置７を独立して設けているが、例えばナースコール制御機内９あるいは廊下灯５内に設けるようにしてもよい。
【００３０】
携帯端末８（本例では、携帯端末８ａ〜８ｄ）は、患者が携帯する端末であり、カメラ３で撮像された映像を表示することが可能である。携帯端末８としては、例えばタッチパネル式の表示画面８３を有するとともに、無線通信（例えば、「WiFi」）可能なスマートフォン等が用いられる。携帯端末８は、ネットワークＮ上で用いられる携帯番号（携帯端末ＩＤ）を有する。携帯端末ＩＤは、患者ＩＤ、カメラのＩＰアドレス等と対応付けて廊下灯５の記憶部に記憶されている。
【００３１】
携帯端末８は、病院内に構築されたローカル通信網（ネットワークＮ）を介して携帯端末８とカメラ３とを通信可能に接続する通信モードを有する。この通信モードでは、ローカル用基地局１１を介して無線通信により構内交換機１０と携帯端末８とを接続し、上記携帯端末ＩＤを用いて携帯端末８とカメラ３との間の通信が可能になる。携帯端末８には、所定の操作に基づいて、携帯端末８をカメラ３の撮像映像にアクセスさせるアプリケーションがインストールされている。
【００３２】
ナースコール制御機９は、ナースコール子機２、カメラ３、表示装置４、ナースコール親機６、および携帯端末８の間の通信を制御するとともに、各部の動作を制御する。
【００３３】
構内交換機１０（例えば、ＰＢＸ：Private Branch eXchange）は、カメラ３と携帯端末８との通信接続や、ナースコール子機２と携帯端末８との通話接続等を管理するための機器であり、病院内の共用部等に設置されている。ローカル用基地局１１は、携帯端末８との間で無線通信（例えば、WiFi）を行うためのアンテナであり、病院内に所定の間隔で設置されている。
【００３４】
管理サーバ１２は、患者の情報、携帯端末の情報、医療従事者の情報等を含む病院に関する最新の情報を一括して管理するサーバである。
【００３５】
次に、解析装置７の機能について説明する。図２に示すように、解析装置７は、解析装置ＣＰＵ７１と、解析装置ＣＰＵ７１に接続された解析アプリケーション７２、記憶部７３、および解析装置インターフェース回路（以下、インターフェース回路を「Ｉ／Ｆ」と称す）７４とを備えている。
【００３６】
解析アプリケーション７２には、例えばカメラ３で撮像された映像に映る人物がそのベッドに入院している患者であるか否かを判別するための顔認証アプリケーションがインストールされている。また、解析アプリケーション７２には、例えば患者の起き上がる動作および患者の離床する動作を検出するための動作解析アプリケーションがインストールされている。記憶部７３には、患者の顔認証を行うために予め撮像された患者の顔情報が記憶されている。
【００３７】
解析装置ＣＰＵ７１は、解析アプリケーション７２にインストールされているアプリケーションに基づいて、患者の顔認証および患者の動作解析等を行う。解析装置Ｉ／Ｆ７４は、ネットワークＮとの信号伝送路を形成するための通信部を構成する。
【００３８】
次に、ナースコール制御機９の機能について説明する。図３に示すように、ナースコール制御機９は、制御機ＣＰＵ９１と、制御機ＣＰＵ９１に接続された記憶部９２、および制御機Ｉ／Ｆ９３とを備えている。
【００３９】
記憶部９２には、患者情報テーブル９２ａと、動作解析ファイル９２ｂと、不在時映像ファイル９２ｃとが設けられている。
患者情報テーブル９２ａには、患者の氏名、患者ＩＤ、子機ＩＤ、カメラのＩＰアドレス、表示装置ＩＤ、携帯端末ＩＤ、担当看護師（看護師ＩＤ）等の患者情報が相互に対応付けて記憶されている。また、患者情報テーブル９２ａには、各患者の入院日時および退院予定日時等の情報、あるいは外出および外泊の予定日時等の情報が患者ＩＤに対応付けて記憶されている。なお、患者情報テーブル９２ａの各情報は、例えば、管理サーバ１２の情報が更新されるたびに管理サーバ１２から送信されて最新の情報へと更新される。
【００４０】
動作解析ファイル９２ｂには、患者の起き上がる動作および患者の離床する動作を検出するためにカメラ３で撮像された撮像データ、すなわち患者がベッドに居るときに撮像された患者の撮像データが記憶されている。
【００４１】
不在時映像ファイル９２ｃには、患者が病室内で私的に利用することが可能な利用範囲から不在になったときに、カメラ３で撮像された上記利用範囲の撮像データが記憶されている。利用範囲とは、例えば複数の患者が入院している大部屋の場合、例えばカーテンで仕切ることが可能な領域、すなわち患者の私物を収納しておくことが可能な収納棚やロッカーが置いてあるベッド周辺も含む領域を意味する。
【００４２】
制御機ＣＰＵ９１は、例えば動作解析ファイル９２ｂまたは不在時映像ファイル９２ｃに記憶される各撮像データの記録処理を行う。また、患者情報テーブル９２ａに記憶されている患者情報に基づいて、例えば利用範囲を撮像しているカメラ３とそのカメラ３に対応付けられている携帯端末８との通信処理等を行う。制御機Ｉ／Ｆ９３は、ネットワークＮとの信号伝送路を形成するための通信部を構成する。
【００４３】
次に、ナースコールシステム１の動作について図４を参照しつつ説明する。
図４は、例えば四人の患者が入院することが可能な大部屋（例えば１０１号室）内を表している。以下、１０１号室のベッド番号１に入院している患者Ｍを対象とする動作について説明する。
【００４４】
カメラ３ａは、見守り対象の患者Ｍを撮像対象とし、患者Ｍの頭部上方に設置されている。カメラ３ａは、基本的には常時、撮像動作するように、ナースコール制御機９によって制御されている。また、カメラ３ａの撮像範囲は、患者Ｍが居るベッドＡの全体を撮像することが可能な見守り範囲Ｓ１となるように、撮影画角Ｗ１が制御されている。撮影画角Ｗ１は、見守り範囲Ｓ１において、ベッド上の患者が中心として撮像されるように設定されている。
【００４５】
カメラ３ａによって撮像された上記見守り範囲Ｓ１の撮像データＡは、伝送線Ｌ２を介して廊下灯５に送信される。廊下灯５は、撮像データＡを送信したカメラ３ａを識別し、記憶部に記憶されている患者情報を参照して、カメラ３ａのＩＰアドレスを撮像データＡに付加する。ＩＰアドレス付きの撮像データＡは、ネットワークＮを介して、廊下灯５から解析装置７およびナースコール制御機９に送信される。
【００４６】
ナースコール制御機９は、送信されてくる撮像データＡを記録部９２の動作解析ファイル９２ｂに記録する。
【００４７】
解析装置７は、撮像データＡを映像処理して、患者Ｍの顔認証を行った後、患者Ｍの動作解析を行う。顔認証は、カメラ３ａで撮像された人物の顔画像と、記憶部７３に記憶されている患者の顔情報とを比較して行われる。動作解析は、例えば患者ＭがベッドＡ上に伏している状態、上半身を起こした起き上がり状態、ベッドＡから離れた離床状態を検出することにより行われる。
【００４８】
動作解析において、先ず、患者ＭがベッドＡ上に伏している状態は、例えば患者Ａの頭部の位置に基づき判別される。次に、患者Ｍがベッド上に伏した状態から上半身を起こした状態に移行したことが検出されることで、起き上がり動作が発生したと判別される。そして、起き上がり動作が検出された後、患者ＭがベッドＡ上から外方へ移動した（見守り範囲Ｓ１から居なくなった）ことが検出されることで、離床動作が発生したと判別される。離床動作が発生したと判別された場合、その旨を知らせる離床信号が、ネットワークＮを介して、解析装置７からナースコール制御機９に送信される。
【００４９】
離床信号を受信したナースコール制御機９は、カメラ３ａの撮像画角を撮影画角Ｗ２に変更させて、カメラ３ａの撮像範囲を例えば収納棚ＢやロッカーＣが置かれている領域を含むカーテンＤで仕切られる利用範囲Ｓ２に拡大させる。
【００５０】
カメラ３ａによって撮像された上記利用範囲Ｓ２の撮像データＢは、上記と同様に、カメラ３ａのＩＰアドレスが付加され、廊下灯５を介して解析装置７およびナースコール制御機９に送信される。
【００５１】
解析装置７は、撮像データＢを解析して、利用範囲Ｓ２内に患者Ｍが存在しているか否かを判別する。解析装置７は、利用範囲Ｓ２内に患者Ｍが存在しない、すなわち患者Ｍが利用範囲Ｓ２から外方へ移動した（利用範囲Ｓ２から居なくなった）と判別された場合、不在フラグを立てるとともに、その旨を知らせる不在信号をナースコール制御機９に送信する。これに対して、利用範囲Ｓ２内に患者Ｍが居ると判別された場合、解析装置７は、そのまま撮像データＢの解析を継続する。
【００５２】
不在信号を受信したナースコール制御機９は、不在信号をナースコール親機６へ送信する。不在信号を受信したナースコール親機６では、小型モニタ６２上または大型モニタ６３上に、例えばランプが点灯表示されて患者Ｍが利用範囲Ｓ２から外方へ移動した旨が報知される。
【００５３】
患者Ｍが不在となった後も、カメラ３ａによる利用範囲Ｓ２の撮像は継続され、解析装置７による撮像データＢの解析も継続される。
【００５４】
その後、解析装置７により継続される解析において、利用範囲Ｓ２内に患者Ｍとは異なる人物が検出された場合、すなわち利用範囲Ｓ２内に患者Ｍ以外の人物が存在していると判別された場合、解析装置７は、不在フラグが立っているか否か判別する。不在フラグが立っている場合、すなわち患者Ｍが利用範囲Ｓ２内に居ない場合、解析装置７は、患者Ｍ以外の人物が利用範囲Ｓ２内に進入してきたことを知らせる進入信号をナースコール制御機９に送信する。これに対して、不在フラグが立っていない場合、すなわち患者Ｍが利用範囲Ｓ２内に居る場合、解析装置７は、そのまま撮像データＢの解析を継続する。
【００５５】
進入信号を受信したナースコール制御機９は、その後にカメラ３ａから送信されてくる撮像データＢを記録部９２の不在時映像ファイル９２ｃに送信して記録する。
【００５６】
一方、その後、解析装置７により継続される解析において、利用範囲Ｓ２内に患者Ｍが検出された場合、解析装置７は、不在フラグが立っているか否か判別する。不在フラグが立っている場合、解析装置７は、利用範囲Ｓ２内に患者Ｍが戻ってきたと判別して、その旨を知らせる存在信号をナースコール制御機９に送信する。これに対して、不在フラグが立っていない場合、解析装置７は、そのまま撮像データＢの解析を継続する。
【００５７】
存在信号を受信したナースコール制御機９は、不在時映像ファイル９２ｃへの撮像データＢの送信を停止する。
【００５８】
また、上記進入信号を受信したナースコール制御機９は、利用範囲Ｓ２に他の人物が居る旨を患者Ｍが携帯する例えば携帯端末８ａに通知する。ナースコール制御機９の制御により携帯端末８ａとカメラ３ａとの間の通信が可能になり、携帯端末８ａ側における所定の操作に基づいて、利用範囲Ｓ２を撮像した撮像データＢが携帯端末８ａに送信される。
【００５９】
患者Ｍが不在であった期間に記録された撮像データＢは、例えばベッドＡの近傍に配置されるベッドサイドモニタ４を用いて再生することが可能である。ただし、その場合、例えば患者認証アプリケーションを用いて、患者ＩＤ認証等の所定の認証処理が行われた後に、上記撮像データＢがベッドサイドモニタ４に再生されるようにしてもよい。患者Ｍの不在中に記録された情報（撮像データＢ）がある旨は、例えばベッドサイドモニタ４にサムネイル等で表示して知らせるようにしてもよい。なお、本例では患者Ｍが不在のときに撮像された撮像データＢは、ナースコール制御機９の不在時映像ファイル９２ｃに記録されているが、例えばベッドサイドモニタ４、ナースコール親機６、廊下灯５、管理サーバ１２のいずれかに記録されるようにしてもよい。
【００６０】
なお、上記形態では、患者Ｍの離床動作が検出された後に、カメラ３ａの撮像範囲を見守り範囲Ｓ１から利用範囲Ｓ２に変更し、患者Ｍが利用範囲Ｓ２から外方へ移動したと判別されたときに患者Ｍが不在であると判別しているがこれに限定されない。
例えば、患者Ｍの離床動作が検出された後、所定時間（例えば数秒間）経過しても見守り範囲Ｓ１内に患者Ｍが戻って来なかった場合に、患者Ｍが利用範囲Ｓ２から不在になると判別してもよい。また、例えば、患者Ｍの離床動作が検出されたことをもって不在になると判断してもよい。さらに、例えば、患者Ｍの起き上がり動作が検出されたことをもって不在になると判別してもよい。
【００６１】
また、患者Ｍの離床動作が検出された後にカメラ３ａの撮像範囲を見守り範囲Ｓ１から利用範囲Ｓ２に変更するのではなく、例えば、患者Ｍの起き上がり動作が検出された後に見守り範囲Ｓ１から利用範囲Ｓ２に変更するようにしてもよい。
【００６２】
また、カメラ３ａの撮像範囲を見守り範囲Ｓ１から利用範囲Ｓ２に変更せずに、最初から利用範囲Ｓ２に設定しておいて、利用範囲Ｓ２から患者Ｍが居なくなった場合に不在であると判別してもよい。
【００６３】
また、上記形態では、撮像データを撮像するカメラ３ａと撮像データを解析する解析装置７とを用いて、患者Ｍが利用範囲Ｓ２に存在するか否かの判別を行っているが、これに限定されず以下のような方法で判別するようにしてもよい。
例えば、ベッドＡの周囲に設置したマットセンサーＦ（図４参照）を用いてもよい。マットセンサーＦへの荷重を検知して患者Ｍの離床動作を検出し、患者Ｍが利用範囲Ｓ２から不在になると判別するようにしてもよい。
【００６４】
また、不在信号を生成するための構成として、例えば、患者の不在状況を知らせる不在ボタン２１ａを用いてもよい。例えば患者ＭがベッドＡを不在にする際（利用範囲Ｓ２から外方へ移動する際）などに、患者Ｍ自身で不在ボタン２１ａを操作することで、不在信号を解析装置７へ送信することが可能である。不在ボタン２１ａがオン設定された場合、不在フラグが立ち上がった状態になるため、利用範囲Ｓ２内に患者Ｍは不在であるとみなされ、患者Ｍとは異なる人物が利用範囲Ｓ２内に居ると判別された場合、利用範囲Ｓ２の撮像データＢが不在時映像ファイル９２ｃに記録される。この記録は、例えば数秒間（５秒間など）だけ記録するように動作設定されても良い。また、患者Ｍが利用範囲Ｓ２内に戻ったときは、患者Ｍ自身で不在ボタン２１ａをオフ設定することが可能である。
【００６５】
また、例えば、ナースコール制御機９の患者情報テーブル９２ａに記憶されている患者の入退院情報や外出外泊情報等を、下記のように用いても良い。利用範囲Ｓ２から患者Ｍが不在になったと判別された場合、あるいは患者Ｍが利用範囲Ｓ２から不在になると判別された場合、さらに患者Ｍの入退院情報や外出外泊情報等を参照して上記記録の動作を行うか否かを確定するようにしてもよい。例えば、患者Ｍが退院、外出、および外泊の予定がある場合には、撮像データＢを不在時映像ファイル９２ｃに記録しないようにしてもよい。また、患者Ｍの入退院情報や外出外泊情報等に基づいて、上記不在ボタン２１ａのオン設定状態と同様に制御されてもよい。
【００６６】
上記構成のナースコールシステム１によれば、患者Ｍが利用範囲Ｓ２から外方へ移動したときに利用範囲Ｓ２に進入してきた患者Ｍ以外の人物をカメラ３ａで撮像し撮像データＢとして記録しておくことができる。このため、患者Ｍの不在時に例えば見舞客が来た場合、患者Ｍは撮像データＢの内容を確認することで、誰が来訪していたかを映像により確認することができる。
【００６７】
また、例えば、痴呆患者等を見守るために使用していたカメラを、来訪者確認用のカメラ３ａとして兼用することができる。
【００６８】
また、利用範囲Ｓ２内に患者Ｍが存在している場合、患者Ｍ以外の人物が利用範囲Ｓ２内に進入してきても撮像データＢの記録は開始されないので、不要な撮像データが記録されることを抑制することができる。
【００６９】
また、患者Ｍが不在のときに撮像された利用範囲Ｓ２の撮像データＢは、ベッドＡ上の患者Ｍの動作を解析するために撮像された見守り範囲Ｓ１の撮像データＡとは別の保存データ（不在時映像ファイル９２ｃと動作解析ファイル９２ｂ）として記録される。このため、利用範囲Ｓ２の撮像データＢが不意に医療従事者等に見られてしまうことを抑制することができる。
【００７０】
また、例えばプレート子機２１に不在ボタン２１ａが設けられているので、患者ＭがベッドＡを離れる際に、自分自身で不在設定をすることができる。
【００７１】
また、撮像された利用範囲Ｓ２の撮像データＢを記録する場合、映像の解析結果だけでなく、さらに患者Ｍの入退院情報や外出外泊情報等を参照して、記録動作を実行するか否かを決定している。このため、不要な撮像データＢが記録されることを抑制することができる。
【００７２】
また、各ベッドサイドモニタ４は廊下灯５を介してネットワークＮに接続されているので、患者Ｍはベッドの近傍に配置されたベッドサイドモニタ４を用いて、不在中にカメラ３ａで撮像された映像を再生することができる。
【００７３】
また、患者Ｍが携帯する携帯端末８ａはネットワークＮを介してナースコール制御機９に接続されているので、患者Ｍは、患者Ｍの不在時に例えば見舞客が来たことを携帯端末８ａにより知ることができる。また、患者Ｍは、携帯端末８ａに表示される撮像データＢの内容を確認することで、患者Ｍの不在時に誰が来訪していたかを確認することができる。
【００７４】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００７５】
１：ナースコールシステム、２：ナースコール子機、３（３ａ）：カメラ、４：表示装置、５：廊下灯、６：ナースコール親機、７：解析装置、８（８ａ〜８ｄ）：携帯端末、９：ナースコール制御機、１０：構内交換機、１１：ローカル用基地局、２１：プレート子機、２１ａ：不在ボタン（操作部の一例）、９２：記憶部、９２ａ：患者情報テーブル、９２ｂ：動作解析ファイル、９２ｃ：不在時映像ファイル、Ｓ１：見守り範囲、Ｓ２：利用範囲
【図１】
2018139634.tif 000003
【図２】
2018139634.tif 000004
【図３】
2018139634.tif 000005
【図４】
2018139634.tif 000006